(57)【要約】【課題】信号機と信号機の停止線との距離に対応して、より適切に補助的な制動力を自車両に付与することが可能なブレーキ制御装置を提供する。【解決手段】信号機４０１と信号機４０１の停止線４０２との距離Ｄを取得する通信装置１０４と、自車両のドライバーのブレーキ操作による制動力に対して、補助的な制動力を付与するブレーキアクチュエータ１３１とを備えた運転支援装置１００において、自車両が信号機４０１に接近するときに、ブレーキアクチュエータ１３１は、通信装置１０４が取得した信号機４０１と信号機４０１の停止線４０２との距離Ｄに基づいて、付与する補助的な制動力を変更するため、信号機４０１と信号機４０１の停止線４０２との距離Ｄに対応して、より適切な大きさの制動力を自車両に付与することが可能となる。【選択図】図２
2010280271.tif 000002
【特許請求の範囲】
【請求項１】
信号機と前記信号機の停止線との距離を取得する距離取得ユニットと、
自車両のドライバーのブレーキ操作による制動力に対して、補助的な制動力を付与するブレーキアシストユニットと、
を備え、
前記自車両が前記信号機に接近するときに、前記ブレーキアシストユニットは、前記距離取得ユニットが取得した信号機と前記信号機の停止線との距離に基づいて、付与する補助的な制動力を変更する、ブレーキ制御装置。
【請求項２】
信号機と前記信号機の停止線との距離を取得する距離取得ユニットと、
自車両のドライバーのブレーキ操作による制動力が第１閾値以下のときに、前記自車両の前記ドライバーのブレーキ操作による制動力に対して、補助的な制動力の付与を開始するブレーキアシストユニットと、
を備え、
前記自車両が前記信号機に接近するときに、前記ブレーキアシストユニットは、前記距離取得ユニットが取得した信号機と前記信号機の停止線との距離に基づいて、前記第１閾値を変更する、ブレーキ制御装置。
【請求項３】
前記ブレーキアシストユニットは、前記距離取得ユニットが取得した信号機と前記信号機の停止線との距離が長いほど大きな制動力を付与する、請求項１に記載のブレーキ制御装置。
【請求項４】
前記ブレーキアシストユニットは、前記距離取得ユニットが取得した信号機と前記信号機の停止線との距離が長いほど大きな前記第１閾値を設定する、請求項２に記載のブレーキ制御装置。
【請求項５】
前記ドライバーの運転により前記自車両が前記信号機を通過した回数を記録する走行履歴記録ユニットをさらに備え、
前記ブレーキアシストユニットは、前記走行履歴記録ユニットが記録した前記ドライバーの運転により前記自車両が前記信号機を通過した回数が第２閾値以上であるときは、付与する補助的な制動力を変更しない、請求項１又は３に記載のブレーキ制御装置。
【請求項６】
前記ドライバーの運転により前記自車両が前記信号機を通過した回数を記録する走行履歴記録ユニットをさらに備え、
前記ブレーキアシストユニットは、前記走行履歴記録ユニットが記録した前記ドライバーの運転により前記自車両が前記信号機を通過した回数が第２閾値以上であるときは、前記第１閾値を変更しない、請求項２又は４に記載のブレーキ制御装置。
【請求項７】
前記自車両から前記信号機を視認できるか否かを推定する視認性推定ユニットをさらに備え、
前記ブレーキアシストユニットは、前記視認性推定ユニットが前記自車両から前記信号機を視認できないと推定したときは、付与する補助的な制動力を変更しない、請求項１、３及び５のいずれか１項に記載のブレーキ制御装置。
【請求項８】
前記自車両から前記信号機を視認できるか否かを推定する視認性推定ユニットをさらに備え、
前記ブレーキアシストユニットは、前記視認性推定ユニットが前記自車両から前記信号機を視認できないと推定したときは、前記第１閾値を変更しない、請求項２、４及び６のいずれか１項に記載のブレーキ制御装置。
【請求項９】
信号機の点灯状態に関する信号機情報を取得する信号機情報取得ユニットを更に備え、
前記ブレーキアシストユニットは、前記信号機情報取得ユニットが取得した前記信号機情報に基づいて、補助的な制動力を付与する、請求項１〜８のいずれか１項に記載のブレーキ制御装置。
【発明の詳細な説明】
【技術分野】
【０００１】
本発明は、ブレーキ制御装置に関し、特には、自車両のドライバーのブレーキ操作による制動力に対して、補助的な制動力を付与するブレーキ制御装置に関する。
【背景技術】
【０００２】
ドライバーのブレーキ操作による制動力の他にも、自車両に補助的な制動力を付与する装置が提案されている。例えば、特許文献１には、交通管理センターから信号機情報を得て、次の交差点の信号機の色を認識する装置が開示されている。特許文献１の装置は、次の交差点までの距離が車両の停止距離以下であり、かつ、車両が交差点を通過するときにおける信号機の色が「赤」または「黄〜赤」、つまり黄信号から赤信号に移行する前の所定期間中である場合には、車両に制動力を発生させるようにする。これにより、特許文献１の装置は、車両が交差点を安全に通過することができないような場合に、車両が交差点を無理に通過することを規制できるようにする。
【先行技術文献】
【特許文献】
【０００３】
【特許文献１】特開２００５−１１９４１３号公報
【発明の概要】
【発明が解決しようとする課題】
【０００４】
ところで、信号機と信号機の停止線との距離は必ずしも一定では無い。例えば、交差点の手前に駐停車禁止区域がある場合や、交差道路の道幅が広い場合は、通常よりも信号機と信号機の停止線との距離が長い場合がある。このような場合、上記の技術では、装置が付与する制動力や制動のタイミングが適切ではない場合がある。また、ドライバーが停止線の位置を通常の位置であると誤認すること等が原因でブレーキ操作が遅れたり、ブレーキ操作の量が不足する可能性もある。
【０００５】
本発明は、このような実情に考慮してなされたものであり、その目的は、信号機と信号機の停止線との距離に対応して、より適切に補助的な制動力を自車両に付与することが可能なブレーキ制御装置を提供することにある。
【課題を解決するための手段】
【０００６】
本発明は、信号機と信号機の停止線との距離を取得する距離取得ユニットと、自車両のドライバーのブレーキ操作による制動力に対して、補助的な制動力を付与するブレーキアシストユニットとを備え、自車両が信号機に接近するときに、ブレーキアシストユニットは、距離取得ユニットが取得した信号機と信号機の停止線との距離に基づいて、付与する補助的な制動力を変更するブレーキ制御装置である。
【０００７】
この構成によれば、信号機と信号機の停止線との距離を取得する距離取得ユニットと、自車両のドライバーのブレーキ操作による制動力に対して、補助的な制動力を付与するブレーキアシストユニットとを備えたブレーキ制御装置において、自車両が信号機に接近するときに、ブレーキアシストユニットは、距離取得ユニットが取得した信号機と信号機の停止線との距離に基づいて、付与する補助的な制動力を変更するため、信号機と信号機の停止線との距離に対応して、より適切な大きさの制動力を自車両に付与することが可能となる。
【０００８】
また、本発明は、信号機と信号機の停止線との距離を取得する距離取得ユニットと、自車両のドライバーのブレーキ操作による制動力が第１閾値以下のときに、自車両のドライバーのブレーキ操作による制動力に対して、補助的な制動力の付与を開始するブレーキアシストユニットとを備え、自車両が信号機に接近するときに、ブレーキアシストユニットは、距離取得ユニットが取得した信号機と信号機の停止線との距離に基づいて、第１閾値を変更するブレーキ制御装置である。
【０００９】
この構成によれば、信号機と信号機の停止線との距離を取得する距離取得ユニットと、自車両のドライバーのブレーキ操作による制動力が第１閾値以下のときに、自車両のドライバーのブレーキ操作による制動力に対して、補助的な制動力の付与を開始するブレーキアシストユニットとを備えたブレーキ制御装置において、自車両が信号機に接近するときに、ブレーキアシストユニットは、距離取得ユニットが取得した信号機と信号機の停止線との距離に基づいて、第１閾値を変更するため、信号機と信号機の停止線との距離に対応して、より適切なタイミングで制動力を自車両に付与することが可能となる。
【００１０】
また、ブレーキアシストユニットは、距離取得ユニットが取得した信号機と信号機の停止線との距離が長いほど大きな制動力を付与することが好適である。
【００１１】
この構成によれば、ブレーキアシストユニットは、距離取得ユニットが取得した信号機と信号機の停止線との距離が長く、ドライバーのブレーキ操作による制動力が不足しがちな場合ほど大きな制動力を付与するため、より適切な大きさの制動力を自車両に付与することが可能となる。
【００１２】
また、ブレーキアシストユニットは、距離取得ユニットが取得した信号機と信号機の停止線との距離が長いほど大きな第１閾値を設定することが好適である。
【００１３】
この構成によれば、ブレーキアシストユニットは、距離取得ユニットが取得した信号機と信号機の停止線との距離が長く、ドライバーのブレーキ操作が遅れがちな場合ほど、補助的な制動力を付与するタイミングを早めることになるため、より適切なタイミングで制動力を自車両に付与することが可能となる。
【００１４】
また、ドライバーの運転により自車両が信号機を通過した回数を記録する走行履歴記録ユニットをさらに備え、ブレーキアシストユニットは、走行履歴記録ユニットが記録したドライバーの運転により自車両が信号機を通過した回数が第２閾値以上であるときは、付与する補助的な制動力を変更しないことが好適である。
【００１５】
この構成によれば、ブレーキアシストユニットは、走行履歴記録ユニットが記録したドライバーの運転により自車両が信号機を通過した回数が第２閾値以上であるときは、付与する補助的な制動力を変更しないため、ドライバーが当該信号機を通過した回数が多く、当該信号機と停止線との距離に慣れているときに、不要なほど大きな制動力を付与することを防止できる。
【００１６】
また、ドライバーの運転により自車両が信号機を通過した回数を記録する走行履歴記録ユニットをさらに備え、ブレーキアシストユニットは、走行履歴記録ユニットが記録したドライバーの運転により自車両が信号機を通過した回数が第２閾値以上であるときは、第１閾値を変更しないことが好適である。
【００１７】
この構成によれば、ブレーキアシストユニットは、走行履歴記録ユニットが記録したドライバーの運転により自車両が信号機を通過した回数が第２閾値以上であるときは、第１閾値を変更しないため、ドライバーが当該信号機を通過した回数が多く、当該信号機と停止線との距離に慣れているときに、不要なほど早いタイミングで制動力を付与することを防止できる。
【００１８】
また、自車両から信号機を視認できるか否かを推定する視認性推定ユニットをさらに備え、ブレーキアシストユニットは、視認性推定ユニットが自車両から信号機を視認できないと推定したときは、付与する補助的な制動力を変更しないことが好適である。
【００１９】
この構成によれば、ブレーキアシストユニットは、視認性推定ユニットが自車両から信号機を視認できないと推定したときは、付与する補助的な制動力を変更しないため、信号機を視認できず、信号機と停止線との距離について錯覚する可能性が少ない場合に、不要なほど大きな制動力を付与することを防止できる。
【００２０】
また、自車両から信号機を視認できるか否かを推定する視認性推定ユニットをさらに備え、ブレーキアシストユニットは、視認性推定ユニットが自車両から信号機を視認できないと推定したときは、第１閾値を変更しないことが好適である。
【００２１】
この構成によれば、ブレーキアシストユニットは、視認性推定ユニットが自車両から信号機を視認できないと推定したときは、第１閾値を変更しないため、信号機を視認できず、信号機と停止線との距離について錯覚する可能性が少ない場合に、不要なほど早いタイミングで制動力を付与することを防止できる。
【００２２】
さらに、信号機の点灯状態に関する信号機情報を取得する信号機情報取得ユニットを更に備え、ブレーキアシストユニットは、信号機情報取得ユニットが取得した信号機情報に基づいて、補助的な制動力を付与することが好適である。
【００２３】
この構成によれば、ブレーキアシストユニットは、信号機情報取得ユニットが取得した信号機情報に基づいて、補助的な制動力を付与するため、信号機の点灯状態に応じて、より適切に補助的な制動力を自車両に付与することが可能となる。
【発明の効果】
【００２４】
本発明のブレーキ制御装置によれば、信号機と信号機の停止線との距離に対応して、より適切に補助的な制動力を自車両に付与することが可能となる。
【図面の簡単な説明】
【００２５】
【図１】実施形態に係る運転支援装置を示すブロック図である。
【図２】実施形態に係る運転支援装置の動作を示すフロー図である。
【図３】実施形態に係る運転支援装置が適用される状況を示す平面図である。
【発明を実施するための形態】
【００２６】
以下、本発明の実施の形態について添付図面を参照して説明する。
【００２７】
本実施形態では、本発明のブレーキ制御装置を運転支援装置に適用する。図１に示すように、本発明の第１実施形態の運転支援装置１００は、インフラ協調ＥＣＵ１１０に、ＧＰＳ１０１、前方カメラ１０２、ミリ波レーダ１０３、通信装置１０４、車速センサ１０５、ディスプレイ１０６、ＡＣＣスイッチ１０７、ＰＣＳスイッチ１０８、ドライバー認証ユニット１０９、記憶装置（ＨＤＤ）１２０、ブレーキアクチュエータ１３１、アクセルアクチュエータ１３２及びスピーカ１４０を備えている。本実施形態の運転支援装置１００は、通信装置１０４が光ビーコン等の路側施設から受信した信号機の点灯状態に関する時系列の信号機情報と、ＧＰＳ１０１及び記憶装置１２０によるナビゲーションの情報とを協調させて、自車両のドライバーのブレーキ操作による制動力に対して、補助的な制動力を付与するブレーキアシストを行うための装置である。
【００２８】
ＧＰＳ（Global  Positioning  System）１０１は、複数のＧＰＳ衛生からの信号をＧＰＳ受信機で受信し、各々の信号の相違から自車両の位置を測位するためのものである。
【００２９】
前方カメラ１０２は、信号機、停止線及び自車両前方の先行車両を撮像することにより、信号機の点灯状態、信号機及び停止線の位置、先行車両の速度（相対速度を含む）、減速度、自車両との車間距離、及び自車両との車間時間を得るために用いられる。
【００３０】
ミリ波レーダ１０３は、自車両前方の先行車両の速度（相対速度を含む）、加速度、自車両との車間距離、及び自車両との車間時間を得るために用いられる。レーダ１０３は、前方にミリ波を照射し、物体に反射して戻ってくる反射波を受信し、先行車両の車速、減速度、車間距離及び車間時間を検出するセンサである。
【００３１】
通信装置１０４は、具体的には光ビーコン受信機や車車間通信機であり、路側施設の光ビーコン送信機や他車両から送信された信号機の点灯状態に関する時系列の信号機情報や信号機の位置や停止線の位置に関する情報を取得するためのものである。信号機の点灯状態に関する時系列の信号機情報には、信号機の表示する信号の変遷に関する情報である信号サイクルや、信号機の赤信号が変化するまでの残り時間に関する点灯時間情報等が含まれる。車速センサ１０５は、車軸の回転数から自車両の車速を検出するセンサである。
【００３２】
ディスプレイ１０６は、画面表示により信号機の赤信号が変化するまでの残り時間に関する点灯時間情報や、赤信号で交差点に侵入する旨の警告である赤信号警告等を運転者に表示するためのものである。
【００３３】
ＡＣＣスイッチ１０７は、所望の設定車速で自車両を先行車両に対して追従走行させるＡＣＣ（Adaptive  Cruise  Control）を実行するためのスイッチである。ＰＣＳスイッチ１０８は、自車両が障害物に接触することを防止し、自車両が障害物に接触したときの被害を軽減するＰＣＳ（Pri-Crush  Safety）を実行するためのスイッチである。
【００３４】
ドライバー認証ユニット１０９は、ＩＤカードの挿入、暗証番号及びパスワードの入力及び指紋又は虹彩等の生体認証等により、自車両を運転するドライバーそれぞれの認証を行うためのものである。
【００３５】
ブレーキ量センサ１５０は、ブレーキペダルの踏み込み量や、ホイールシリンダの油圧を検出するためのセンサである。
【００３６】
記憶装置（ＨＤＤ：hard  disk  drive）１２０は、地図情報が記録された地図情報ＤＢ１２１を有しており、インフラ協調ＥＣＵ１１０及びナビＥＣＵ１３０が、ＧＰＳ１０１によって得られた自車両の測位情報と併せて自車両が走行している経路、走行距離等に関する情報を取得するためのものである。あるいは、記憶装置１２０には、各々の場所における過去の信号機の点灯状態に関する時系列の信号機情報が記録される。また、記憶装置１２０は、走行履歴ＤＢ１２２を有している。走行履歴ＤＢ１２２には、自車両を運転したドライバーごとの走行履歴が記録される。
【００３７】
インフラ協調ＥＣＵ１１０は、通信装置１０４が光ビーコン送信機から受信した信号機の点灯状態に関する時系列の信号機情報と、ＧＰＳ１０１の測位情報及び地図情報ＤＢ１２１から得られた自車両が走行している経路、走行距離等に関する情報と、車速センサ１０５によって取得した自車両の車速と、ミリ波１０３及びカメラ１０２によって取得した前方車両及び信号機に関する情報と、記憶装置１２０に記録された各々の場所における過去の信号機の点灯状態に関する時系列の信号機情報とに基づいて、ディスプレイ１０６及びスピーカ１０７により、信号機の赤信号が変化するまでの残り時間に関する点灯時間情報等を運転者に提供したり、ブレーキアクチュエータ１３１やアクセルアクチュエータ１３２を駆動して、自車両の走行を自動的に制御するためのものである。
【００３８】
ブレーキアクチュエータ１３１は、ホイールシリンダの油圧を制御するアクチュエータである。ブレーキアクチュエータ１３１は、インフラ協調ＥＣＵ１１０からの制御信号に応じてアクチュエータを作動させてホイールシリンダに所定の油圧を発生させる。
【００３９】
アクセルアクチュエータ１３２は、スロットルバルブの開度を調整するアクチュエータである。アクセルアクチュエータ１３２は、インフラ協調ＥＣＵ１１０からの目標スロットル開度信号に応じて作動し、スロットルバルブの開度を調整する。
【００４０】
スピーカ１４０は、音声により信号機の赤信号が変化するまでの残り時間に関する点灯時間情報等や赤信号警告等を運転者に報知するためのものである。なお、本実施形態において、前方カメラ１０２、ミリ波レーダ１０３及び通信装置１０４及びナビＥＣＵ１３０は、必ずしも全て装備されていなくとも良い。
【００４１】
以下、本実施形態の運転支援装置１００の動作について説明する。図２に示すように、インフラ協調ＥＣＵ１１０は、通信装置１０４によって、路側インフラクチャーの光ビーコン送信機や車車間通信機からの信号機の点灯状態に関する時系列の信号機情報や、信号機や停止線の位置情報を受信しているか、記憶装置１２０に記録された各々の場所における過去の信号機の点灯状態に関する時系列の信号機情報や、信号機や停止線の位置情報を取得しているものとする。
【００４２】
インフラ協調ＥＣＵ１１０は、前提として、取得した信号機情報により、信号機情報を利用したブレーキアシストが可能であるか否かを判断する（Ｓ１０１）。例えば、車速センサにより検出された自車両の車速が一定値以下である場合、信号機情報が十分にある場合及び停止線までの距離が一定値以上であるときは、インフラ協調ＥＣＵ１１０は、信号機情報を利用したブレーキアシストが可能であると判定する。
【００４３】
インフラ協調ＥＣＵ１１０は、通信装置１０４等により取得した信号機の位置と停止線の位置とから、図３に示すような信号機４０１と停止線４０２との間の距離Ｄを算出する（Ｓ１０２）。信号機４０１と停止線４０２との間の距離Ｄは、駐停車禁止区域４０３等が存在する場合や、交差道路の幅が広い場合には、通常よりも大きくなる。
【００４４】
信号機４０１と停止線４０２との間の距離Ｄは、通信装置１０４による路車間通信により路側インフラストラクチャーから取得した信号機４０１及び停止線４０２の位置に関する情報から算出される。また、信号機４０１と停止線４０２との間の距離Ｄは、前方カメラ１０２の撮像画像を用いて信号機４０１及び停止線４０２と自車両との距離を測定することにより算出される。また、信号機４０１と停止線４０２との間の距離Ｄは、信号機４０１が設置された交差点の交差道路の幅や、交差道路の車線数より推定される。さらに、信号機４０１と停止線４０２との間の距離Ｄは、図３に示す停止線４０２と交差道路との距離Ｄ’がある閾値Ｌ’よりも大きい場合、信号機４０１と停止線４０２との間の距離Ｄも、閾値Ｌよりも長いと判定できる。
【００４５】
インフラ協調ＥＣＵ１１０は、信号機４０１と停止線４０２との間の距離Ｄが閾値Ｌよりも大きいか否かを判定する（Ｓ１０３）。閾値Ｌは、信号機と停止線との間の距離の全国的な平均値とすることができる。また、インフラ協調ＥＣＵ１１０は、走行履歴ＤＢに記録された走行履歴により、自車両を現在運転しているドライバーの運転により自車両が信号機４０１を通過した回数が所定の閾値であるＮ回以上か否かを判定する（Ｓ１０４）。さらに、インフラ協調ＥＣＵ１１０は、前方カメラ１０２、ミリ波レーダ１０３及び地図情報ＤＢ１２１に記録された地形に関する情報により、自車両から信号機４０１を視認できるか否かについて判定する。
【００４６】
信号機４０１と停止線４０２との間の距離Ｄが閾値Ｌよりも大きく（Ｓ１０３）、自車両が信号機４０１を通過した回数が所定の閾値であるＮ回以上であり（Ｓ１０４）、且つ自車両から信号機４０１を視認できるときは（Ｓ１０５）、インフラ協調ＥＣＵ１１０は、ブレーキアシスト（ＢＡ）量を規定よりも大きい値である（規定値＋α）に設定し、ブレーキアシスト実施閾値を距離Ｄに比例する距離Ｄ×γに設定する（Ｓ１０６）。γは任意の定数である。ブレーキアシスト量は、自車両のドライバーのブレーキ操作による制動力に対して付与される補助的な制動力である。また、ブレーキアシスト実施閾値は、ブレーキアシストが開始されるための閾値であり、自車両のドライバーのブレーキ操作による制動力が、ブレーキアシスト実施閾値以下のときに、ブレーキアシストが開始される。ブレーキアシスト実施閾値は、ブレーキペダル踏量や、ホイールシリンダの油圧により規定することができる。
【００４７】
一方、信号機４０１と停止線４０２との間の距離Ｄが閾値Ｌよりも大きいこと（Ｓ１０３）、自車両が信号機４０１を通過した回数が所定の閾値であるＮ回以上であること（Ｓ１０４）、且つ自車両から信号機４０１を視認できること（Ｓ１０５）のいずれかを満たさないときは、インフラ協調ＥＣＵ１１０は、ブレーキアシスト量及びブレーキアシスト実施閾値を一般的な規定値に設定する（Ｓ１０７）。
【００４８】
ブレーキ量センサ１５０によりドライバーのブレーキ操作が検出され（Ｓ１０８）、且つブレーキ量がブレーキアシスト閾値以下であるときは（Ｓ１０９）、インフラ協調ＥＣＵ１１０は、Ｓ１０６又はＳ１０７で設定したブレーキアシスト量でブレーキアクチュエータ１３１を駆動してブレーキアシストを実施する（Ｓ１１０）。インフラ協調ＥＣＵ１１０は、自車両が信号機４０１が設置された交差点に進入した場合や、ドライバーがアクセルペダルを踏んだ場合等のサービス終了条件をときや、自車両が停止した場合には（Ｓ１１１）、ブレーキアシストの処理を終了する。
【００４９】
本実施形態によれば、信号機４０１と信号機４０１の停止線４０２との距離Ｄを取得する通信装置１０４と、自車両のドライバーのブレーキ操作による制動力に対して、補助的な制動力を付与するブレーキアクチュエータ１３１とを備えた運転支援装置１００において、自車両が信号機４０１に接近するときに、ブレーキアクチュエータ１３１は、通信装置１０４が取得した信号機４０１と信号機４０１の停止線４０２との距離Ｄに基づいて、付与する補助的な制動力を変更するため、信号機４０１と信号機４０１の停止線４０２との距離Ｄに対応して、より適切な大きさの制動力を自車両に付与することが可能となる。
【００５０】
また、本実施形態によれば、信号機４０１と信号機４０１の停止線４０２との距離Ｄを取得する通信装置１０４と、自車両のドライバーのブレーキ操作による制動力がブレーキアシスト実施閾値以下のときに、自車両のドライバーのブレーキ操作による制動力に対して、補助的な制動力の付与を開始するブレーキアクチュエータ１３１とを備えた運転支援装置１００において、自車両が信号機４０１に接近するときに、ブレーキアクチュエータ１３１は、通信装置１０４が取得した信号機４０１と信号機４０１の停止線４０２との距離Ｄに基づいて、ブレーキアシスト実施閾値を変更するため、信号機４０１と信号機４０１の停止線４０２との距離Ｄに対応して、より適切なタイミングで制動力を自車両に付与することが可能となる。
【００５１】
また、本実施形態によれば、ブレーキアクチュエータ１３１は、通信装置１０４が取得した信号機４０１と信号機４０１の停止線４０２との距離Ｄが長く、ドライバーのブレーキ操作による制動力が不足しがちな場合ほど大きな制動力を付与するため、より適切な大きさの制動力を自車両に付与することが可能となる。
【００５２】
また、本実施形態によれば、ブレーキアクチュエータ１３１は、通信装置１０４が取得した信号機４０１と信号機４０１の停止線４０２との距離Ｄが長く、ドライバーのブレーキ操作が遅れがちな場合ほど、補助的な制動力を付与するタイミングを早めることになるため、より適切なタイミングで制動力を自車両に付与することが可能となる。
【００５３】
また、本実施形態によれば、ブレーキアクチュエータ１３１は、走行履歴ＤＢ１２２が記録したドライバーの運転により自車両が信号機４０１を通過した回数がＮ回以上であるときは、付与する補助的な制動力を変更しないため、ドライバーが当該信号機４０１を通過した回数が多く、当該信号機４０１と停止線４０２との距離Ｄに慣れているときに、不要なほど大きな制動力を付与することを防止できる。
【００５４】
また、本実施形態によれば、ブレーキアクチュエータ１３１は、走行履歴ＤＢ１２２が記録したドライバーの運転により自車両が信号機４０１を通過した回数がＮ回以上であるときは、ブレーキアシスト実施閾値を変更しないため、ドライバーが当該信号機４０１を通過した回数が多く、当該信号機４０１と停止線４０２との距離Ｄに慣れているときに、不要なほど早いタイミングで制動力を付与することを防止できる。
【００５５】
また、本実施形態によれば、ブレーキアクチュエータ１３１は、前方カメラ１０２等より自車両から信号機４０１を視認できないと推定されるときは、付与する補助的な制動力を変更しないため、信号機４０１を視認できず、信号機４０１と停止線４０２との距離Ｄについて錯覚する可能性が少ない場合に、不要なほど大きな制動力を付与することを防止できる。
【００５６】
また、本実施形態によれば、ブレーキアクチュエータ１３１は、前方カメラ１０２等より自車両から信号機４０１を視認できないと推定されるときは、ブレーキアシスト実施閾値を変更しないため、信号機４０１を視認できず、信号機４０１と停止線４０２との距離Ｄについて錯覚する可能性が少ない場合に、不要なほど早いタイミングで制動力を付与することを防止できる。
【００５７】
さらに、本実施形態によれば、ブレーキアクチュエータ１３１は、通信装置１０４が取得した信号機情報に基づいて、補助的な制動力を付与するため、信号機の点灯状態に応じて、より適切に補助的な制動力を自車両に付与することが可能となる。
【００５８】
尚、本発明は、上記した実施の形態に限定されるものではなく、本発明の要旨を逸脱しない範囲内において種々変更を加え得ることは勿論である。例えば、上記実施形態では、通信装置１０４による路車間通信により信号機４０１に関する情報を取得する態様について中心に説明したが、前方カメラ１０２等の信号機４０１の映像に基づいて信号機４０１に関する情報を取得することも可能である。
【００５９】
また、上記実施形態では、ブレーキアシスト量やブレーキアシストを実施するタイミングを変更する態様について中心に説明したが、信号機４０１と停止線４０２との間の距離Ｄに基づいて、ディスプレイ１０６やスピーカ１４０による警告のタイミングを変更することも可能である。さらに、上記実施形態では、信号機４０１が設置された交差点で運転支援装置１００が適用される態様について中心に説明したが、例えば、一時停止の標識と停止線との距離に基づいて、ブレーキアシスト量やブレーキアシストを実施するタイミングを変更することも可能である。
【符号の説明】
【００６０】
１００…運転支援装置、１０１…ＧＰＳ、１０２…前方カメラ、１０３…ミリ波レーダ、１０４…通信装置、１０５…車速センサ、１０６…ディスプレイ、１０７…ＡＣＣスイッチ、１０８…ＰＣＳスイッチ、１０９…ドライバー認証ユニット、１１０…インフラ協調ＥＣＵ、１２０…記憶装置（ＨＤＤ）、１２１…地図情報ＤＢ、１２２…ブレーキＥＣＵ、１３１…ブレーキアクチュエータ、１３２…アクセルアクチュエータ、１４０…スピーカ、１５０…ブレーキ量センサ、４０１…信号機、４０２…停止線、４０３…駐停車禁止区域。
【図１】
2010280271.tif 000003
【図２】
2010280271.tif 000004
【図３】
2010280271.tif 000005